(57)【要約】  円形又は曲線でかたどられた形式の、ダイナミックに変化する１以上の数量を視覚的に表示する情報表示器である。該情報表示器は、それぞれが１以上の表示器を有する１以上の計測ユニットを具備し、各計測ユニットの該表示器は、１以上の部分を有し選択的に活性化する少なくとも１つの円環状表示器を有する。この１以上の各部分は、それぞれの情報源に関係し、その情報源に関する量的な情報に応じて動的に活性化する。各計測ユニットの表示器は、少なくとも１つの円環状表示器の内側に中央表示部分を具備し、この中央表示部分は、英数字を表示するようになっている。あるいは、少なくとも１つの円環状表示器の回りに環状に置かれたボタン群を具備する。あるいは、中央表示部分と環状に置かれたボタン群との両方を具備する。各円環状表示器の一部分は、元の値が増加するにつれて量的な情報の計測値として２方向又は１方向に増大するように広がる。
2009524113.tif 000002
【特許請求の範囲】
【請求項１】
ダイナミックに変化する１以上の数量を視覚的に表示する円形又は曲線でかたどられた形式の情報表示器であって、
それぞれが１以上の表示器を有する１以上の計測ユニットを具備し、各計測ユニットの該表示器は、１以上の部分を有し選択的に活性化する少なくとも１つの円環状表示器を有し、該１以上の各部分は、それぞれの情報源に関係し、その情報源に関する量的な情報に応じて動的に活性化することを特徴とする情報表示器。
【請求項２】
各計測ユニットの表示器は、前記少なくとも１つの円環状表示器の内側に中央表示部分を具備し、該中央表示部分は、英数字を表示するようになっていることを特徴とする請求項１に記載の情報表示器。
【請求項３】
各計測ユニットの表示器は、前記少なくとも１つの円環状表示器の回りに環状に置かれたボタン群をさらに具備することを特徴とする請求項１に記載の情報表示器。
【請求項４】
各計測ユニットの表示器は、前記少なくとも１つの円環状表示器の内側におかれた英数字を表示するようになっている中央表示部分と、前記少なくとも１つの円環状表示器の回りに環状に置かれたボタン群とをさらに具備することを特徴とする請求項１に記載の情報表示器。
【請求項５】
前記円環状表示器の各部分の動的な活性化は両方向、すなわち、元の値が増加するにつれて量的な情報の計測値として、前記円環状表示器に沿って２方向に増大するように広がるようになっていることを特徴とする請求項１乃至請求項４のいずれか１項に記載の情報表示器。
【請求項６】
円環状表示部分の動的な活性化は単方向、すなわち、元の値が増加するにつれて量的な情報の計測値として円環状表示器に沿って１方向に増大するように広がるようになっていることを特徴とする請求項１乃至請求項４のいずれか１項に記載の情報表示器。
【請求項７】
前記ボタン群の１つ以上の見た目は変化するようになっていることを特徴とする請求項３乃至請求項６のいずれか１項に記載の情報表示器。
【請求項８】
前記ボタンの見た目の変化には、（１）点灯と消灯による見た目の変化と、（２）色の有り無しによる見た目の変化とが含まれることを特徴とする請求項７に記載の情報表示器。
【請求項９】
前記ボタン群中の１つ以上は、それぞれ円環状表示器の一部分に関連していることを特徴とする請求項３乃至請求項８のいずれか１項に記載の情報表示器。
【請求項１０】
円環状表示器の各部分はそれぞれ同じ処理の異なる側面と関連していることを特徴とする請求項１乃至請求項９のいずれか１項に記載の情報表示器。
【請求項１１】
前記処理は、オーディオ チャンネルと関連していることを特徴とする請求項１０に記載の情報表示器。
【請求項１２】
複数の計測ユニットがあり、各ユニットは異なる処理に関連していることを特徴とする請求項１乃至請求項１１のいずれか１項に記載の情報表示器。
【請求項１３】
各処理は、異なるオーディオチャンネルに関連していることを特徴とする請求項１２に記載の情報表示器。
【請求項１４】
前記表示器は、実質的にハードウェアで実現させたことを特徴とする請求項１乃至請求項１３のいずれか１項に記載の情報表示器。
【請求項１５】
前記表示器は、実質的にソフトウェアで実現させたことを特徴とする請求項１乃至請求項１３のいずれか１項に記載の情報表示器。
【発明の詳細な説明】
【技術分野】
【０００１】
本発明は、情報表示器に関する。さらに詳細には、１以上のダイナミックに変化する量が円形又は円環状の形に示されるメーターや計測表示器のようなダイナミックに変化する情報の表示器に関する。本発明は１以上のチャンネルのオーディオ情報の特性に関する情報の表示器について記載しているが、例えば、ビデオ信号のような他のタイプの電気信号、電気の波、音響の波、流体の波の流れや、粒子や物体の流れのような他の物理現象を表す信号、及び物理現象以外の数量を表す信号に関する信号を含む、原則としてあらゆるタイプのダイナミックに変化する信号の特性に関する情報の表示器に本発明を適用することができることは理解できよう。
【背景技術】
【０００２】
多くのオーディオアプリケーションにおいて、チャンネル数が変化するメーターの必要性が生じている。例えば、装置又はプロセスへの入力、装置又はプロセスからの出力又はその両方を計測することが望ましいことがある。
【０００３】
一例を考える。ユーザからの要求に応じて、オーディオ信号プロセッサを、多少とも実際的な入力及び出力にカスタマイズすることができる。このようなカスタマイズは、ボックス中に挿入した入出力（Ｉ／Ｏ）ボードにより、チャンネル数を変化させることで、実現することができる。例えば、基本的なモデルでは４入力と８出力を提供することができる。拡張モデルでは、４入力と１２出力、又は８入力と８出力を有することができる。異なった構成に考えられる共通点は、ボックスの表面パネルにある計測表示器である。実際にチャンネル数が変化することに対応することのできる計測表示器を持つことが好ましい。
【０００４】
チャンネル数が変化することに対応することのできる計測表示器に対する要求は、実際のＩ／Ｏが変化するハードウェアを見つけるだけではない。物理的に固定された入出力構成については、計測の可能性として多くの選択肢がある。入力だけ、又は出力だけ、又はこの２つの組み合わせを表示することが望ましいかもしれない。このことは、チャンネル数が変化することに対応することのできるメーター又は計測表示器への要求を高めることになる。
【０００５】
多くのチャンネルを同時に計測することのできる計測についての解決手段を求めて、かなり多くのチャンネルを表現する十分拡張したオーディオプロセッサを提示することができる。適度に明確な計測により、ユーザがメーターを一瞥してすばやく信号の情報を確認することができるが、この明快な計測が難しいので、計測するチャンネル数が増大することになる。
【０００６】
[先行技術]
このような問題が広く生じているので、この問題を解決する試みがなされている。
【０００７】
オーディオ計測についての一般的な方法は、垂直方向に読むメーターの列（それぞれ直線のバーグラフ）が信号のチャンネルを示す、垂直メーターの列を水平に並べたものを採用することである。垂直メーターにより、計測した他の信号との相対的な信号レベルをすばやく見ることができるが、これは、信号レベルの絶対値を明確に表してはいない。垂直なメーターの「端」を明確に視認できない限り、信号がその最大許容値にどれだけ近づいているのかを見ることは難しい。
【０００８】
計測に伴う問題を解決するための今までの方法は、伝統的な「垂直メーター」に基づいていた。増大したチャンネルの数を表示するために、各垂直メーターの幅は減少し、隣同士並んだ垂直メーターがくっつくことになる。しかし、垂直メーターの幅が減少するにつれて、表示を読むことが難しくなる。列の幅は、例えばピクセル単位で、表示器の実施の寸法により固定されている。
【０００９】
円形のメーターは、メーターの腕の角度を「読む」ことによりユーザが信号レベルをすばやく見ることができるという利点がある。メーターの腕がどれだけ円周を動いているか、また、どれだけ最大値に近づいているかが即座に明確になる。しかしながら、従来の円形メーターでは、チャンネル数が変化するときの計測の問題に対処することは難しい。読み取り可能なものにするために、円形メーターはある大きさにする必要があり、垂直メーターのように円形メーターを単純に縮小することはできない。
【発明の開示】
【００１０】
本発明の特徴によれば、円形又は曲線でかたどられた形式の、ダイナミックに変化する１以上の数量を視覚的に表示する情報表示器である。該情報表示器は、それぞれが１以上の表示器を有する１以上の計測ユニットを具備し、各計測ユニットの該表示器は、１以上の部分を有し選択的に活性化する少なくとも１つの円環状表示器を有する。この１以上の各部分は、それぞれの情報源に関係し、その情報源に関する量的な情報に応じて動的に活性化する。このような情報表示器においては、（１）各計測ユニットの表示器は、少なくとも１つの円環状表示器の内側に中央表示部分を具備し、この中央表示部分は、英数字を表示するようになっている。あるいは、（２）各計測ユニットの表示器は、さらに、少なくとも１つの円環状表示器の回りに環状に置かれたボタン群を具備する。あるいは、（３）各計測ユニットの表示器は、さらに、（ａ）少なくとも１つの円環状表示器の内側に中央表示部分を具備し、この中央表示部分は、英数字を表示するようになっていることを特徴とする中央表示部分と、（ｂ）、少なくとも１つの円環状表示器の回りに環状に置かれたボタン群とを具備する。円環状表示器の一部分の動的な活性化は両方向、すなわち、元の値が増加するにつれて量的な情報の計測値として円環状表示器に沿って２方向に増大するように広がるようにすることができる。あるいは、円環状表示器の一部分の動的な活性化は単方向、すなわち、元の値が増加するにつれて量的な情報の計測値として円環状表示器に沿って１方向に増大するように広がるようにすることができる。ボタンを採用するときは、このボタンの１つ以上の見た目は変化するようにすることができる。ボタンの見た目の変化には、（１）点灯と消灯による見た目の変化と、（２）色の有り無しによる見た目の変化とが含まれる。ボタンの１つ以上は、それぞれ円環状表示の一部分の関連させることができる。円環状表示の一部分は、同じ処理の異なる側面と関連付けることができる。この処理は、オーディオチャンネルに関連させてもよい。複数の計測すべきユニットがあり、各ユニットは異なる処理に関連させることができる。例えば、各処理は、異なるオーディオチャンネルに関連させてもよい。表示器は実質的にハードウェアで実現することもでき、実質的にソフトウェアによる表示器で実現することもできる。
【発明を実施するための最良の形態】
【００１１】
本発明に係る複数の計測ユニットを有するオーディオ信号プロセッサのフロントパネル２が図１及び図２に示されている。この例では、４個の計測ユニット（４，６，８，及び１０）を採用しているが、プロセス又は装置、又はプロセス又は装置の集合に応じて（１以上の）任意の数の計測ユニットを採用することができる。計測ユニットの拡大図を図３〜６に示す。計測ユニット（４，６，８，及び１０）の各々は、任意の文字を表示することのできる英数字表示部分１２と、中央の英数字表示部分を囲む環状の計測又は表示セグメント部分１４と、計測又は表示セグメント部分１４を囲む環状に配置した押しボタン１６とを具備することができる。各計測ユニットはまた、以下に説明するように、関連するいくつかの押しボタンを追加することができる。中央の英数字表示部分１２と環状の計測セグメントセグメント部分１４は、例えば、コンピュータモニタのような、従来のＬＣＤコントローラ／ドライバにより、又は、一般的なビットマップ表示器により制御されるＬＣＤ表示器により実現させてもよい。実施の形態において、照光式ボタンを（図１〜６の例に示したような）ハードウェア、又は（図７〜１２の例に示したような）ソフトウェアのどちらで実現させることもできる。
【００１２】
この例では、中央の英数字表示部分１２は、３行の水平な行であって、各行が計測中のチャンネルを名付けるような任意の文字を表示することができるような１０文字の容量を持ち、中央の行が上下の行より大きな文字の行を有する。行数は３行より多くても少なくてもよい。各行の文字数はこれより大きくても小さくてもよい。中央の行の文字は、他の行の文字より必ずしも大きくなくてもよい。各行の文字数は必ずしも同じである必要はない。必要なら、中央の英数字表示部分１２をすべて削除してもよい。
【００１３】
この例では、計測又は表示セグメント部分１４は、２つの活性化可能な環状セグメント、すなわち、外側セット１４ａと内側セット１４ｂとがあり、各セットは１０４個のセグメントで構成されている。この例では、２つの環状セグメントを有するが、１以上のセグメントを有することができる。環状セグメントの最大数は、中央英数字表示部分が採用されるのかどうかにより（採用される場合は、その大きさにより）、及び、最も内側の環状セグメントの可読性により定められ、計測ユニットの全体的な大きさにより影響される。図１〜６に示された構成の実用的な実施の形態においては、環状に配置した押しボタン１６の、環の直径は約８０ｍｍ（約３・１／８インチ）でありＬＣＤ表示部分１２の直径は約６０ｍｍ（約２・３／８インチ）である。それに続く内側の環状に配置したセグメントは、必然的に、小さくなるが、各環状に配置したセットが同じ数のセグメントを保持するならば異なるセットにおけるセグメントの相対的な寸法は、読み取りやすさに応じて変化させることができる。従って、図１〜６の例では、内側の環状に配置したセットのセグメントの直径方向長さのほうが外側に環状に配置したセットの長さより大きい。
【００１４】
環状に配置した別のセットにおいて同じセグメントの数を採用することは、各セットにおいて同じ計測分解能を提供するという利点があるが、そうしなければならないわけではない。例えば、必要に応じて、内側の環ではセグメント数を少なくしてもよい。グループにおけるセグメント数は、別の計測のための構成とするために、変化させてもよい。メーターの分解能は小型化とトレードオフの関係にしてもよい。
【００１５】
この例では、計測セグメント部分１４を囲んで１６個の押しボタン１６で構成した一重の環ができている。押しボタンで構成したもう１つ以上の環ができていてもよい。押しボタンで構成した環は１６個以上又は以下の押しボタンで構成してもよい。この例では押しボタンは同じ大きさで環状に同じ間隔で並べてあるが、押しボタンは同じ大きさでなくてもよく同じ間隔である必要もない。あるいは、計測セグメント部分を囲む押しボタンを省略してもよい。以下に説明するように、押しボタンには複数の機能を持たせてもよい。１つの機能は、表示装置、すなわち、このボタンのうちの１つ又はすべてが選択的に点灯し、その光は色を表示してもよい。押しボタンの機能は、計測ユニットが作用するモードに従うようにしてもよい。計測する各チャンネルは、点灯することにより使用中であることを表示する、１つのボタンに関連させてもよい。
【００１６】
以下の例について考える。計測ユニットが計測情報の出力を表示するよう構成されている場合、ボタンを押し下げることで、チャンネル名を英数字表示器に表示させることができる。計測ユニットが計測情報の入力を表示するよう構成されている場合は、そのボタンの機能をミュート可能ボタンに応じるように構成させることができる。ミュート可能ボタンが押された場合は、環状に配置されたボタンにより、関連する入力チャンネルがミュートになる。ミュート可能ボタンが押されない場合は、環状に配置されたボタンを押せば、入力チャンネル名が英数字表示器に表示される。押しボタンの色は、その押しボタンに関連する計測セグメントに表示された押しボタンの機能又は情報の状態を表示させるようにするために、変化させてもよい。
【００１７】
図１〜４の例において、各計測ユニット４，６，８，及び１０は、４つのオーディオチャンネルＡ，Ｂ，Ｃ，及びＤのそれぞれに関連する３つの情報を表示することができる（すなわち、各計測ユニットは特定のチャンネルに対する３つの情報、［３つの計測又は表示部］を表示することができる）動作モードにある。例えば、動作モードは、例えば、図１〜６の例に示したような押しボタン１６により、及び／又は、他の押しボタンにより選択するメニュー選択を用いることにより、選択することができる。他の動作モードでは、例えば、チャンネル毎に１セットの情報、チャンネル毎に２セットの情報（図５参照）、チャンネル毎に４セットの情報（図６参照）、等を可能とすることができる。実際には、計測ユニットごとに４又は５以上のセットの情報は、ユーザの読み取りやすさの観点から望ましくないかもしれない。
【００１８】
計測ユニットが特定のチャンネルに対して３つのセットの情報を表示することができる、図１〜４の例において、最初の情報は割り当てておらず、２番目の情報は入力信号の振幅であり、３番目の情報は出力信号の振幅である。これらの３つの例において、英数字情報の最初の行には「Ｎ：ＣＬ３ＷＡＹ」と書いてあり、ここでＮは、その計測ユニットに関連するチャンネルＡ，Ｂ，Ｃ，又はＤのうちの１つであり、動作のモードは３方法であることを表示する。この例の２番目の行は大きな文字で「ＣＬ３Ｗａｙ」と表示されており、３番目の行は使われておらず、４つのダッシュが表示されている。
【００１９】
図１〜４の例の、３方法動作モードにおいて、１つの環の中で活性化している１つのセグメントは、表示されている３つの情報のうちの１つの計測の中央を示す。このようにして、外側の環状に配置されたセグメント１４ａのセグメント１８及び２０と内側の環状に配置されたセグメント１４ｂのセグメント２２が活性化する。原則として、これらのセグメントは、同じセグメントの環にある（すなわち、すべて外側の環又はすべて内側の環にある）。しかし、図示の構成は、３つの計測の中央位置は、相互に同じ間隔ではないから（セグメントの数と押しボタンの数とが３で同じように割り切れないから）、各計測セグメントに対して広い範囲を可能にする利点がある。
【００２０】
上述のように、左側で活性化しているセグメント１８により示された１つの情報のセットは割り当てられていない。従って、隣の内側の環状セグメントに位置する計測の中心セグメントが図示したように活性化するが、この計測セグメントが割り付けられていない限り、それ以上のセグメントは活性化しない。加えて、ボタン環１６における隣接するボタン２４は活性化しない。このように、ユーザは、３方法動作モードにおける３つの入手可能な情報表示のうちの１つは割り当てられておらず、不活性であることを知ることができる。
【００２１】
この例において、活性化している内側セグメント２２に隣接する外側セグメントは入力信号の振幅を表示する。所定の時刻における入力信号の振幅は、外側の環で活性化しているセグメントの数で表示され、このセグメントは、内側のセグメント２２に隣接する外側の環の中央セグメント２６から両方向に対称的に広がる（他の方法については以下に説明する）。この情報のセットが活性化していることを表示するために、計測の中央セグメント２６に隣接する押しボタン２８を活性化させる。これは、押しボタンの内側にある緑のＬＣＤを点灯させるなどして、その押しボタンを光らせることにより実行される。
【００２２】
この例では、活性化している外側のセグメント２０に隣接する内側のセグメントが出力信号の振幅を表示する。所定の時刻における出力信号の振幅は、内側の環で活性化しているセグメントの数で表示され、このセグメントは、外側のセグメント２０に隣接する内側の環の中央セグメント３０から両方向に対称的に広がる。図３の例において、入力信号は、オーディオ信号をクリッピングさせるほど高くはない。従って、図３に示すように、計測セグメント２６に隣接する押しボタン２６を活性化させる。これは、押しボタンの内側にある緑のＬＣＤを点灯させることにより、その押しボタンを緑色に光らせることにより実行する。図１，２，及び４の例において、チャンネルＢの計測ユニットは、オーディオ処理装置をクリッピングさせるのに十分な振幅の入力を持っている。従って、入力信号及び出力信号を表示する動作している計測セグメントの拡張性は大きい。加えて、クリッピングを表示するために、図示したように大きな読み値に「ＣＬＩＰ」を表示することができ、押しボタン３２に隣接して２個の押しボタン３４及び３６を、好ましくはクリッピングのない状態とは別の色で、点灯させてもよい。オーディオ装置がクリッピングしているとき、各ボタンの内側の赤色ＬＥＤを点灯させることにより、押しボタン３２，３４，及び３６は、赤色にすることができる。ユーザの注意を引くためには少なくとも３個の押しボタンを光らせることが望ましいが、１個又は２個だけ光らせることとしてもよい。
【００２３】
このようにして、ユーザは、１以上の計測ユニットを一瞥することにより１以上のオーディオチャンネルの種々の情報の特徴的状態をすばやく把握することができる。
【００２４】
計測セグメントが表示されている情報を表示する電気信号の変化に追従する速さは、表示器が適切なメーター特性を示すようその電気信号を時間平均することにより調整することができる。
【００２５】
図５及び６は、さらに考えられる表示器の例である。
【００２６】
図５の例において、計測ユニットは、２つの計測部分がそれぞれ別のチャンネルに関連する２方法動作モードである。英数字の読みは、図に示すように（例えば「Ｃｈ１」、「Ｃｈ２」、「ＣＬ２Ｗａｙ」と）表示することができ、１つの計測部分、すなわちチャンネル１部分は、方位計の北すなわち０°方向と考えられる部分に中央があり、チャンネル２部分は、方位計の南すなわち１８０°方向と考えられる部分に中央がある。この例では、２つの計測セグメントは内側の環のセグメントにあり、中央表示セグメントは外側の環にあって、緑色に点灯する点灯している押しボタンに隣接するセグメントである。例えば、計測表示はチャンネル出力の振幅とすることができる。
【００２７】
図１〜４の例において、計測セグメントは中央セグメントから２方向に対称的に拡がる。計測セグメントが開始セグメントから一方向に拡がるようにすることも可能である。この代案は図６の例に示されている。一方向に広がる代案は、図６の例に示すように４つの計測セグメントを採用するような多数の計測部分を採用するときに有利となる。この場合は、４つの計測セグメントは、４つのチャンネルに対応する。従って、英数字の読みは、それぞれの４つの計測セグメントに近接して「Ｃｈ１」，「Ｃｈ２」，「Ｃｈ３」，及び「Ｃｈ４」を表示し、中央部分は、「ＣＬ４Ｗａｙ」を表示する。他の例に示すように、それぞれの計測開始点に隣接する押しボタンが、例えば緑色の光で動作する。
【００２８】
中央の英数字表示部分は、様々に用いることができ、ここに記載した例に限定されるものではない。他の例においては、内側のメーターセグメントグループ（内側の環）を、オーディオ信号の振幅レベルを表示するために用いることができる。外側のメーターセグメントグループ（外側の環）を、オーディオ信号に関連するリミッタ又はコンプレッサの運転を表示するために用いることができる（図１１及び１２の例を参照のこと）。
【００２９】
図１及び２の例における実施の形態では、４つの計測ユニットが、ハードウェアで実施されたラウドスピーカのクロスオーバ及びイコライザユニットのフロントパネルに設けられている。フロントパネルには、計測ユニットと連動して用いることのできる調整つまみが追加されている。各計測ユニット（図３〜６参照）に隣接して、上昇・下降ボタン３４及び３６、及び「ＭＥ」ボタン３８をつけることができる。押しボタン３４，３６，及び２８は、特定の計測ユニットの一部と考えることができ、その計測ユニットに対してのみ働かせることもできる。ＭＥボタンは、フロントパネルの計測機能に直接関係しない、複数の機能のメニューボタンとすることができる。上昇・下降ボタンと共に、このＭＥボタンにより、フロントパネルからユーザがメニューを移動してオーディオユニットをプログラムすることができる。
【００３０】
図１及び２の例のフロントパネルの実施の形態は、４個すべての計測ユニット４，６，８，及び１０を動作させる複数のメタボタンにより完成する。これらのメタボタンは、「ミュート・イネーブル」４０，「メーター」４２，及び「メニュー」４４とすることができ、フロントパネルの最も左側に置くことができるが、その位置は本質的ではない。「ミュート・イネーブル」は、活性化させたとき、各計測ユニットの押しボタンがミュートボタンにすることができる、トグルボタンとすることができる。「メーター」は、別の変数に計測を切り替えるためのスイッチとし、「メニュー」は、汎用スイッチとすることができる。電源を入れたときの初期状態において、４個の計測ユニット４，６，８，及び１０は、図７ａに示すように、（左側のユニットから右側のユニットへ）以下のような文字をそれぞれ表示する。
【００３１】
Ｔａｐ  ＭＥ  ｆｏｒ
Ｅｄｉｔ
Ｍｅｎｕ
Ｔａｐ  ＭＥ  ｆｏｒ
Ｐｒｅｓｅｔｓ
Ｍｅｎｕ
Ｔａｐ  ＭＥ  ｆｏｒ
Ｕｔｉｌｉｔｙ
Ｍｅｎｕ
Ｔａｐ  ＭＥ  ｆｏｒ
ＦｒｏｎｔＰａｎｅｌ
Ｃｏｎｆｉｇ
さらに注目すべきものとして、電源投入時に、図７ａに示すように各計測ユニット中のボタン１６を点灯させることができる。
【００３２】
運転状態によっては、４個すべての計測ユニットのそれぞれが、全体として１つの文字メッセージの一部を表示することができる。例えば、図７ｂに示すように以下のような文字を（左側のユニットから右側のユニットに）表示することができる。
【００３３】
Ｔｈｉｓ
ｉｓ
Ａ
Ｔｅｓｔ
図１及び２に示したように、ＲＪ４５コネクタ、赤外線（ＩＲ）センサ４８、及び電源オン／オフスイッチのような、コンピュータネットワークコネクタ４６に適したものが取り付けられる。電源スイッチは、「オン」状態で（例えば緑色に）点灯させることができる。情報表示灯５２及び５４は、それぞれネットワーク接続及び（点滅により）ネットワーク作動中を表示するＬＥＤとすることができる。周囲の光量に対して適切なレベルの輝度に表示器を調整するために、光センサ５６を設けることもできる。
【００３４】
上述の通り、計測ユニットは（図１〜６の例に示したように）ハードウェアでも（図８〜１３の例に示したように）ソフトウェアでも実現することができる。図８〜１１は、上記の、ソフトウェアで実現させた図３〜６の例に対応する表示器の例を示す。図１２及び１３は、ソフトウェアで実現させた表示器のさらなる例を示し、内側のメーターセグメントグループ（内側の環）は、オーディオ信号の振幅レベルを表示し、外側のメーターセグメントグループ（外側の環）は、特定のオーディオ信号に関するリミッタ又はコンプレッサの動作を表示する。図１〜６の例に示したような押しボタンを物理的に押すのではなくて、マウスをクリックするか又はタッチスクリーンをタッチすることにより、押しボタンを押すことを模擬することができる。ソフトウェアで実現させた表示器は、計測ユニットの中央部分の文字表示において、大きな柔軟性を可能とする。そこで、一例として、図１３では、入力に関連する各チャンネルについて情報が表示されていることを示す４行の文字が表示される。
【００３５】
［実施の形態］
本発明は、ハードウェア又はソフトウェア又は両方を組み合わせたもの（例えば、プログラマブルロジックアレー）で実施することができる。種々の汎用機をここの記載に従って書かれたプログラムと共に用いてもよい、あるいは、要求の方法を実行するために、より特化した装置（例えば、集積回路）を構成することが便利かもしれない。このように、本発明は、それぞれ少なくとも１つのプロセッサ、少なくとも１つの記憶システム（揮発性及び非揮発性メモリー及び／又は記憶素子を含む）、少なくとも１つの入力装置又は入力ポート、及び少なくとも１つの出力装置又は出力ポートを具備する、１つ以上のプログラマブルコンピュータシステム上で実行される１つ以上のコンピュータプログラムにより実現することができる。ここに記載した機能を遂行し、出力情報を出力させるために入力データにプログラムコードを適用する。この出力情報は、公知の方法で、１以上の出力装置に適用される。
【００３６】
このようなプログラムの各々は、コンピュータシステムとの通信のために、必要とされるどんなコンピュータ言語（機械語、アセンブリ、又は、高級な、手続言語、論理型言語、又は、オブジェクト指向言語を含む）ででも実現することができる。いずれにせよ、言語はコンパイル言語であってもインタープリタ言語であってもよい。
【００３７】
このようなコンピュータプログラムの各々は、ここに記載の手順を実行するために、コンピュータにより記憶媒体又は記憶装置を読み込んだとき、コンピュータを設定し動作させるための、汎用プログラマブルコンピュータ又は専用プログラマブルコンピュータにより、読み込み可能な記憶媒体又は記憶装置（例えば、半導体メモリー又は半導体媒体、又は磁気又は光学媒体）に保存又はダウンロードすることが好ましい。本発明のシステムはまた、コンピュータプログラムにより構成されるコンピュータにより読み込み可能な記憶媒体として実行することを考えることもできる。ここで、この記憶媒体は、コンピュータシステムを、ここに記載した機能を実行するために、具体的にあらかじめ定めた方法で動作させる。
【００３８】
本発明の多くの実施の形態について記載した。しかしながら、本発明の精神と技術範囲を逸脱することなく多くの修正を加えることができることは明らかであろう。例えば、ここに記載したステップのいくつかの順序は独立であり、従って、記載とは異なる順序で実行することができる。
【００３９】
本発明の実際的な実施の形態を実施するために、考えうる構成を示す簡易化した機能ブロック図が図１４に示されている。プログラムが常駐しているメモリー６０を有するマイクロプロセッサ５８は、デジタル信号プロセッサ（ＤＳＰ）６２と、赤外線センサとつながるインターフェース６４と、押しボタン７０とつながるインターフェース６８と、（ＲＪ４５ジャックのような）実際のネットワークケーブルコネクタ７４とつながるネットワークインターフェース７２と、ディスプレースクリーン７８のためのディスプレースクリーンインターフェース７６と通信する。監視すべきアナログ信号は、ＤＳＰ６２で使うことができるようにするため、アナログ・デジタル変換器（Ａ／Ｄ）８０に入力される。
【図面の簡単な説明】
【００４０】
【図１】本発明に係る情報表示器を取り付けたフロントパネルの左前方上部からの透視図である。
【図２】本発明に係る情報表示器を取り付けたフロントパネルの正面図である。
【図３】本発明に係る計測ユニットを取り付けたフロントパネルの部分正面図である。計測表示器の第１の例を示す。
【図４】本発明に係る計測ユニットを取り付けたフロントパネルの部分正面図である。計測表示器の第２の例を示す。
【図５】本発明に係る計測ユニットを取り付けたフロントパネルの部分正面図である。計測表示器の第３の例を示す。
【図６】本発明に係る計測ユニットを取り付けたフロントパネルの部分正面図である。計測表示器の第４の例を示す。
【図７Ａ】図３〜図６の例に対応するソフトウェアによる実施の形態の表示器の例である。
【図７Ｂ】図３〜図６の例に対応するソフトウェアによる実施の形態の表示器の例である。
【図８】図３〜図６の例に対応するソフトウェアによる実施の形態の表示器の例である。
【図９】図３〜図６の例に対応するソフトウェアによる実施の形態の表示器の例である。
【図１０】図３〜図６の例に対応するソフトウェアによる実施の形態の表示器の例である。
【図１１】図３〜図６の例に対応するソフトウェアによる実施の形態の表示器の例である。
【図１２】図３〜図６の例に対応するソフトウェアによる実施の形態の表示器の例である。
【図１３】図３〜図６の例に対応するソフトウェアによる実施の形態の表示器の例である。
【図１４】本発明を実施することのできる構成の簡易化した機能ブロック図である。
【図１】
2009524113.tif 000003
【図２】
2009524113.tif 000004
【図３】
2009524113.tif 000005
【図４】
2009524113.tif 000006
【図５】
2009524113.tif 000007
【図６】
2009524113.tif 000008
【図７Ａ】
2009524113.tif 000009
【図７Ｂ】
2009524113.tif 000010
【図８】
2009524113.tif 000011
【図９】
2009524113.tif 000012
【図１０】
2009524113.tif 000013
【図１１】
2009524113.tif 000014
【図１２】
2009524113.tif 000015
【図１３】
2009524113.tif 000016
【図１４】
2009524113.tif 000017
【国際調査報告】
2009524113.tif 000018
2009524113.tif 000019
2009524113.tif 000020